(57)【要約】【課題】  刈取収穫機において、刈取部の前方を広い範囲に亘って照射することができるように構成する。【解決手段】  刈取部２の右及び左側部に右及び左のライト２０を備え、右のライト２０の照射範囲の左側部分と左のライト２０の照射範囲の右側部分とが、刈取部２の前方で重なり合うように、右及び左のライト２０の照射範囲を設定する。【選択図】        図４                                                          
2006025666.tif 000002
【特許請求の範囲】
【請求項１】
機体の前部に刈取部を備えて、前記刈取部の右及び左側部に右及び左のライトを備え、前記右及び左のライトの照射範囲を左右に亘る幅広に設定すると共に、
前記右のライトの照射範囲の左側部分と左のライトの照射範囲の右側部分とが、前記刈取部の前方で重なり合うように、前記右及び左のライトの照射範囲を設定してある刈取収穫機。
【請求項２】
刈り取った収穫物を排出可能な排出装置を備え、前記収穫物を排出する作業位置及び刈取部の上方に位置する格納位置に、前記排出装置を位置変更自在に構成すると共に、
前記排出装置にライトを備え、前記排出装置の格納位置において排出装置のライトにより刈取部の前方を照射するように、前記排出装置のライトの照射範囲を設定してある請求項１に記載の刈取収穫機。
【請求項３】
機体の右又は左側部に運転部を備え、前記右又は左のライトのうちの運転部とは反対側のライトの位置を、前記右又は左のライトのうちの運転部側のライトの位置よりも高いものに設定してある請求項１又は２に記載の刈取収穫機。
【発明の詳細な説明】
【技術分野】
【０００１】
本発明は、刈取収穫機に備えられるライトの構造に関する。
【背景技術】
【０００２】
コンバイン等の刈取収穫機では夕暮れ時や夜間でも刈取作業を行うことが増えてきており、例えば特許文献１に開示されているように、刈取部にライト（特許文献１の第１，２，３図の１）を備えたものがある。
【０００３】
【特許文献１】実開昭６３−２３１４３号公報（第１，２，３図）
【発明の開示】
【発明が解決しようとする課題】
【０００４】
特に大型の刈取収穫機では、刈取部の横幅が大きなものになるので、刈取部の前方を広い範囲に亘って照射すると言う面で改善の余地がある。
本発明は刈取収穫機において、刈取部の前方を広い範囲に亘って照射することができるように構成することを目的としている。
【課題を解決するための手段】
【０００５】
［Ｉ］
（構成）
本発明の第１特徴は、刈取収穫機において次のように構成することにある。
機体の前部に刈取部を備えて、刈取部の右及び左側部に右及び左のライトを備え、右及び左のライトの照射範囲を左右に亘る幅広に設定する。右のライトの照射範囲の左側部分と左のライトの照射範囲の右側部分とが、刈取部の前方で重なり合うように、右及び左のライトの照射範囲を設定する。
【０００６】
（作用）
本発明の第１特徴によると、左右に亘る幅広の照射範囲を備えたライトを、刈取部の右及び左側部と言うように、右及び左のライトを互いに離して刈取部に備えることよって、刈取部の右及び左の前方横側、刈取部の中央前方の広い範囲に亘って照射されるようになる。
この場合、本発明の第１特徴によると、右のライトの照射範囲の左側部分と左のライトの照射範囲の右側部分とが、刈取部の前方で重なり合っているので、刈取部の中央前方が特に明るいものとなっている。
【０００７】
（発明の効果）
本発明の第１特徴によると、刈取収穫機において、刈取部の右及び左の前方横側、刈取部の中央前方の広い範囲に亘って照射されるようになる点、並びに、刈取部の中央前方が特に明るいものとなっている点により、夕暮れ時や夜間に運転者にとって見え難い部分を少なくすることができて、刈取作業の作業性及び路上での走行性を向上させることができた。
【０００８】
［ＩＩ］
（構成）
本発明の第２特徴は、本発明の第１特徴の刈取収穫機において次のように構成することにある。
刈り取った収穫物を排出可能な排出装置を備え、収穫物を排出する作業位置及び刈取部の上方に位置する格納位置に、排出装置を位置変更自在に構成する。排出装置にライトを備え、排出装置の格納位置において排出装置のライトにより刈取部の前方を照射するように、排出装置のライトの照射範囲を設定する。
【０００９】
（作用）
本発明の第２特徴によると、本発明の第１特徴と同様に前項［Ｉ］に記載の「作用」を備えており、これに加えて以下のような「作用」を備えている。
前項［Ｉ］に記載のように、右のライトの照射範囲の左側部分と左のライトの照射範囲の右側部分とが刈取部の前方で重なり合うように、右及び左のライトの照射範囲を設定した場合、刈取部の中央直前（前述の重なり合う部分と刈取部との間の付近）が少し暗くなることが考えられる。
【００１０】
刈取収穫機では一般に、刈り取った収穫物を排出可能な排出装置を備えたものがあり、収穫物を排出する作業位置及び刈取部の上方に位置する格納位置に、排出装置を位置変更自在に構成したものが多くある。
本発明の第２特徴によると、排出装置にライトを備え、排出装置の格納位置において排出装置のライトにより刈取部の前方を照射するように構成しているので、前述の刈取部の中央直前（前述の重なり合う部分と刈取部との間の付近）を、排出装置のライトが上方から照射するような状態を得ることができる。
【００１１】
この場合、排出装置の格納位置において、排出装置は刈取部から前方に出るような状態になることが多く、排出装置にライトを備えると、刈取部の中央直前（前述の重なり合う部分と刈取部との間の付近）の上方に、排出装置のライトが位置する状態になることが多いので、刈取部の中央直前（前述の重なり合う部分と刈取部との間の付近）を、排出装置のライトによって適切に照射することができる。
【００１２】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、刈取部の中央直前（前述の重なり合う部分と刈取部との間の付近）が少し暗くなるような状態が生じても、刈取部の中央直前（前述の重なり合う部分と刈取部との間の付近）を適切に照射することができるようになり、夕暮れ時や夜間に運転者にとって見え難い部分を少なくすることができて、刈取作業の作業性及び路上での走行性を向上させることができた。
【００１３】
［ＩＩＩ］
（構成）
本発明の第３特徴は、本発明の第１又は第２特徴の刈取収穫機において次のように構成することにある。
機体の右又は左側部に運転部を備え、右又は左のライトのうちの運転部とは反対側のライトの位置を、右又は左のライトのうちの運転部側のライトの位置よりも高いものに設定する。
【００１４】
（作用）
本発明の第３特徴によると、本発明の第１又は第２特徴と同様に前項［Ｉ］［ＩＩ］に記載の「作用」を備えており、これに加えて以下のような「作用」を備えている。
刈取収穫機において機体の右又は左側部に運転部を備えた場合、刈取作業では一般に、刈取部の運転部とは反対側が未刈り側（作物がまだ刈り取られていない側）となり、刈取部の運転部側が既刈り側（作物が既に刈り取られた側）となる。
【００１５】
本発明の第３特徴によると、右又は左のライトのうちの運転部とは反対側のライトの位置を、右又は左のライトのうちの運転部側のライトの位置よりも高いものに設定しているので、前述のように刈取部の運転部とは反対側が未刈り側である場合、右又は左のライトのうちの運転部とは反対側のライトが作物よりも低い位置になるような状態を少なくすることができる。
本発明の第３特徴によると、前述のように刈取部の運転部側が既刈り側である場合に、右又は左のライトのうちの運転部側のライトの位置が比較的低いものになるので、地面を照射し易い。特に未刈り側の作物における既刈り側の端部の列の地面付近を照射することが、比較的容易に行えるようになる。
【００１６】
（発明の効果）
本発明の第３特徴によると、本発明の第１又は第２特徴と同様に前項［Ｉ］［ＩＩ］に記載の「発明の効果」を備えており、これに加えて以下のような「発明の効果」を備えている。
本発明の第３特徴によると、右又は左のライトのうちの運転部とは反対側のライトが作物よりも低い位置になるような状態を少なくすることができる点、並びに、右又は左のライトのうちの運転部側のライトにより地面を照射し易く、未刈り側の作物における既刈り側の端部の列の地面付近を照射することが比較的容易に行える点により、刈取作業の作業性を向上させることができた。
【発明を実施するための最良の形態】
【００１７】
図１及び図２に示すように、右及び左のクローラ式の走行装置１で支持された機体の前部に刈取部２を備えて、機体の前部の右側部に運転部３、機体の後部の左側部に脱穀装置４、機体の後部の右側部にグレンタンク５を備えて、刈取収穫機の一例であるコンバインが構成されている。これにより、圃場の作物が刈取部２によって刈り取られ、刈り取られた作物が脱穀装置４に送られて脱穀処理され、脱穀処理されて単粒化した作物が収穫物としてグレンタンク５に貯留される。
【００１８】
図１及び図２に示すように、機体に上下揺動自在に支持された主フレーム６に、刈取部２の全体が支持されており、主フレーム６を昇降駆動する昇降シリンダ７が備えられている。図１，２，３，４に示すように、刈取部２は５個のデバイダ８，９，１０，１１、引き起し爪１３ａを多数備えた４組の引き起し装置１３、バリカン型式の刈取装置１４及び搬送装置１５を備えて、４条刈り型式に構成されている。
【００１９】
図１及び図２に示すように、グレンタンク５の後部にアンローダ１２（排出装置に相当）が備えられている。アンローダ１２は内部にスクリュー（図示せず）を備えており、スクリューが回転駆動されることにより、グレンタンク５の収穫物が搬送され、アンローダ１２の吐出口１２ａから排出される。アンローダ１２は横軸芯Ｐ１周りに上下に昇降駆動自在に構成され、縦軸芯Ｐ２周りに旋回駆動自在に構成されている。図１及び図２に示す状態は、運転部３の後部に備えられた受け台１７にアンローダ１２を乗せた状態であり、アンローダ１２を格納位置に配置した状態である。アンローダ１２を格納位置から上昇駆動し、横外側に旋回駆動することにより、トラック（図示せず）の荷台にグレンタンク５の収穫物を排出する（アンローダ１２の作業位置に相当）。
【００２０】
図１，２，３，４に示すように、刈取部２の右及び左側部の上部にカバー１６が備えられて、右及び左のカバー１６に右及び左のライト２０が備えられている。右及び左のライト２０は、上及び下のバルブ２２，２３、上及び下のバルブ２２，２３に対するリフレクタ（反射板）２４，２５、これらを覆う透明のカバー２１等を備えて構成されている。
【００２１】
図３及び図４に示すように、右及び左のカバー１６の前部１６ａ及び横部１６ｂに亘る角部に開口部が形成されて、右及び左のカバー１６の開口部に右及び左のライト２０が嵌め込まれるように固定されている。カバー２１の前面が右及び左のカバー１６の前部１６ａ及び引き起し装置１３の前面と略同一面（又はカバー２１の前面が右及び左のカバー１６の前部１６ａ及び引き起し装置１３の前面よりも少し後側）に位置するように構成されており、カバー２１の横面が右及び左のカバー１６の横部１６ｂと略同一面に位置するように構成されている。
【００２２】
右のライト２０において、リフレクタ２４は上のバルブ２２の光を左斜め前方及び右横方に反射し、前方に反射するように構成されており、リフレクタ２５は下のバルブ２５の光を左斜め前方及び右横方に反射し、斜め前方下方に反射するように構成されている。これにより、刈取部２を地面に位置させている状態において、右のライト２０の照射範囲ＲＤは図５（ａ）及び図６に示すような状態となるのであり、右のライト２０において、下のバルブ２３によりデバイダ８が照射されている。
【００２３】
左のライト２０において、リフレクタ２４は上のバルブ２２の光を右斜め前方及び左横方に反射し、前方に反射するように構成されており、リフレクタ２５は下のバルブ２５の光を右斜め前方及び左横方に反射し、斜め前方下方に反射するように構成されている。これにより、刈取部２を地面に位置させている状態において、左のライト２０の照射範囲ＬＤは図５（ａ）及び図６に示すような状態となるのであり、左のライト２０において、下のバルブ２３によりデバイダ１０が照射されている。
【００２４】
図６に示すように、刈取部２を地面に位置させている状態において、右のライト２０の照射範囲ＲＤの左側部分と左のライト２０の照射範囲ＬＤの右側部分とが、刈取部２の前方で重なり合うように、右及び左のライト２０の照射範囲ＲＤ，ＬＤが設定されている。この場合、右のライト２０の照射範囲ＲＤの左側部分と左のライト２０の照射範囲ＬＤの右側部分とが刈取部２の前方で重なり合う部分ＡＤが、刈取部２の中央の所定の近距離（例えば２メートル程度）から前方に位置する状態となる。図５（ａ）に示すように、刈取部２を地面に位置させている状態において、右及び左のライト２０の照射範囲ＲＤ，ＬＤは斜め前方下方に向いている。
【００２５】
図５（ｂ）に示すように、刈取部２を上限位置まで上昇駆動すると、右及び左のライト２０の照射範囲ＲＤ，ＬＤは略前方を向く状態となる。この場合、右のライト２０の照射範囲ＲＤの左側部分と左のライト２０の照射範囲ＬＤの右側部分とが刈取部２の前方で重なり合う部分ＡＤが、刈取部２の中央の所定の遠距離（例えば８メートル程度）から前方に位置する状態となる。
【００２６】
図１，２，６に示すように、受け台１７にアンローダ１２を乗せた状態（アンローダ１２を格納位置に配置した状態）において、アンローダ１２の吐出口１２ａがデバイダ１０の前方上方の付近に位置しており、アンローダ１２の吐出口１２ａの右横側部にライト１８が取り付けられている。これにより、刈取部２の中央直前の範囲ＳＤ（右のライト２０の照射範囲ＲＤの左側部分と左のライト２０の照射範囲ＬＤの右側部分とが刈取部２の前方で重なり合う部分ＡＤと、刈取部２との間の付近）が、アンローダ１２のライト１８によって照射される。
【００２７】
図７に示すように、運転部３にライトスイッチ１９が備えられている。ライトスイッチ１９をＯＮ２位置に操作すると、右及び左のライト２０の上及び下のバルブ２２，２３が点灯し、アンローダ１２のライト１８が点灯する。ライトスイッチ１９をＯＮ１位置に操作すると、右及び左のライト２０の下のバルブ２３が点灯して、右及び左のライト２０の上のバルブ２２が消灯し、アンローダ１２のライト１８が点灯する。ライトスイッチ１９をＯＦＦ位置に操作すると、右及び左のライト２０の上及び下のバルブ２２，２３が消灯し、アンローダ１２のライト１８が消灯する。
【００２８】
［発明の実施の第１別形態］
前述の［発明を実施するための最良の形態］において、図８に示すように、右のライト２０（デバイダ８側、運転部３側）をカバー１６の低い位置に備え、左のライト２０（デバイダ１０側、運転部３とは反対側）をカバー１６の高い位置に備えるように構成してもよい。
【００２９】
コンバインでは例えば図９に示すように、刈取部２の運転部３とは反対側が未刈り側Ａ１（作物がまだ刈り取られていない側）となり、刈取部２の運転部３側が既刈り側Ａ２（作物が既に刈り取られた側）となる。この場合、デバイダ９，１０，１１は作物の株元付近に位置し作物よって隠れている状態で、運転部３からデバイダ９，１０，１１を目視できない状態である。これに対して、未刈り側Ａ１の作物における既刈り側Ａ２の端部の列Ｂ１の横外側にデバイダ８が位置しており、運転部３からデバイダ８を目視することができるのであり、未刈り側Ａ１の作物における既刈り側Ａ２の端部の列Ｂ１とデバイダ８との位置関係を目視しながら、運転部３の操縦者はコンバインの運転を行う。
【００３０】
［発明の実施の第２別形態］
前述の［発明を実施するための最良の形態］［発明の実施の第１別形態］において、機体の前部に刈取部２を備え、機体の前部の左側部に運転部３を備えるように構成してもよい。このように構成すると、右のライト２０（デバイダ８側、運転部３とは反対側）をカバー１６の高い位置に備え、左のライト２０（デバイダ１０側、運転部３側）をカバー１６の低い位置に備えるように構成してもよい。
【図面の簡単な説明】
【００３１】
【図１】コンバインの全体側面図
【図２】コンバインの全体平面図
【図３】刈取部の正面図
【図４】刈取部の斜視図
【図５】刈取部を地面に位置させている状態及び刈取部を上限位置まで上昇駆動した状態での刈取部の付近の側面図
【図６】右及び左のライトの照射範囲を示す平面図
【図７】ライトスイッチの平面図
【図８】発明の実施の第１別形態の刈取部の正面図
【図９】発明の実施の第１別形態の刈取作業の状態を示す平面図
【符号の説明】
【００３２】
２    刈取部
３    運転部
１２  排出装置
１８  排出装置のライト
２０  ライト
ＲＤ  右のライトの照射範囲
ＬＤ  左のライトの照射範囲
【図１】
2006025666.tif 000003
【図２】
2006025666.tif 000004
【図３】
2006025666.tif 000005
【図４】
2006025666.tif 000006
【図５】
2006025666.tif 000007
【図６】
2006025666.tif 000008
【図７】
2006025666.tif 000009
【図８】
2006025666.tif 000010
【図９】
2006025666.tif 000011